(57)【特許請求の範囲】
【請求項１】
現金挿入口から投入された現金を金種別に収納するスタッカ部と、
外部へ取り出すべき現金を収納する現金回収部と、
現金の識別を行なう単一の現金識別部と、
該現金挿入口からの現金を金種別に該スタッカ部もしくは該現金回収部に収納させる入金処理と該スタッカ部の現金を現金取出口へ送出させる出金処理と該スタッカ部の現金を回収して該現金回収部に収納させる回収処理とを実行すべく現金の搬送を制御する制御部とをそなえ、
該現金識別部が、前記の入金処理，出金処理および回収処理に際して現金の識別を行なうとともに、
該制御部が、回収処理の実行中に入金処理の実行要求を受けると、該スタッカ部から該現金回収部に回収すべき回収残枚数が予め設定された回収中断可否枚数以下かどうかを判断し、前記回収残枚数が前記回収中断可否枚数よりも大きい場合には、実行中の回収処理を中断させて入金処理を優先的に実行させて、当該入金処理を完了した後に、中断した回収処理を再開させる一方、前記回収残枚数が前記回収中断可否枚数以下である場合には、回収処理を完了させてから入金処理を実行させるように、現金の搬送を制御することを特徴とする、現金処理ユニット。
【請求項２】
現金挿入口から投入された現金を金種別に収納するスタッカ部と、外部へ取り出すべき現金を収納する現金回収部と、現金の識別を行なう単一の現金識別部と、該現金挿入口からの現金を金種別に該スタッカ部もしくは該現金回収部に収納させる入金処理と該スタッカ部の現金を現金取出口へ送出させる出金処理と該スタッカ部の現金を回収して該現金回収部に収納させる回収処理とを実行すべく現金の搬送を制御する制御部とを有してなる現金処理ユニットをそなえ、入金処理，出金処理および回収処理に際して該現金識別部により前記の現金の識別を行ないながら現金の入出金処理を伴う取引を自動的に行なう自動取引装置であって、
該制御部が、回収処理の実行中に入金処理の実行要求を受けると、該スタッカ部から該現金回収部に回収すべき回収残枚数が予め設定された回収中断可否枚数以下かどうかを判断し、前記回収残枚数が前記回収中断可否枚数よりも大きい場合には、実行中の回収処理を中断させて入金処理を優先的に実行させて、当該入金処理を完了した後に、中断した回収処理を再開させる一方、前記回収残枚数が前記回収中断可否枚数以下である場合には、回収処理を完了させてから入金処理を実行させるように、現金の搬送を制御することを特徴とする、自動取引装置。
【請求項３】
現金挿入口からの現金を金種別にスタッカ部もしくは現金回収部に収納させる入金処理と該スタッカ部の現金を現金取出口へ送出させる出金処理と該スタッカ部の現金を回収して該現金回収部に収納させる回収処理とを実行できるように構成された現金処理ユニットをそなえ、前記の入金処理，出金処理および回収処理に際して単一の現金識別部により現金の識別を行ないながら現金の入出金処理を伴う取引を自動的に行なう自動取引装置における現金回収方法であって、
回収処理の実行中に入金処理の実行要求を受けると、該スタッカ部から該現金回収部に回収すべき回収残枚数が予め設定された回収中断可否枚数以下かどうかを判断し、前記回収残枚数が前記回収中断可否枚数よりも大きい場合には実行中の回収処理を中断して入金処理を優先的に実行し、当該入金処理を完了した後に、中断した回収処理を再開する一方、前記回収残枚数が前記回収中断可否枚数以下である場合には回収処理を完了させてから入金処理を実行することを特徴とする、自動取引装置における現金回収方法。
【発明の詳細な説明】
【０００１】
（目次）
発明の属する技術分野
従来の技術
発明が解決しようとする課題
課題を解決するための手段
発明の実施の形態（図１〜図１１）
発明の効果
【０００２】
【発明の属する技術分野】
本発明は、現金（紙幣や硬貨）の入出金処理を行ないながら顧客との取引を自動的に行なう、現金内部還流型の自動取引装置に適用される技術に関し、特に、出金処理よりも入金処理の方が主たる処理となる自動取引装置（例えば、競馬，競輪，競艇，オートレース等の投票券を発売するための投票券自動発売機）に用いて好適の、現金処理ユニット，自動取引装置および同装置における現金回収方法に関する。
【０００３】
【従来の技術】
競馬，競輪，競艇，オートレース等では、顧客によりマークシート方式で所定情報を記入された投票カードを読み取り、その読取結果と顧客により投入された現金とに基づき、所定の投票券を自動的に発行・発売する投票券自動発売機が、自動取引装置として用いられている。
【０００４】
このような投票券自動発売機は、顧客により投入された現金を識別し金種別に収納する入金処理機能と、顧客に対して釣銭（現金）を放出する出金処理機能とを併せもつ現金処理ユニットを有している。そして、その現金処理ユニットとしては、顧客により投入されて識別・収納した現金を、釣銭として、あるいは、投票券の換金のために利用できるようにした、現金内部還流型のものが一般に用いられている。
【０００５】
上述した現金処理ユニットにおいて、顧客により投入された現金、例えば千円札や一万円札（以下、それぞれ、単に千円，万円と略記）などの紙幣は、紙幣識別部で識別された後、問題がなければ、金種別にスタッカ部へ収納される。このようにスタッカ部へ収納された現金は、投票券発売時の釣銭として、あるいは、投票券換金時の現金として利用されるようになっている。スタッカ部へ一旦収納された現金を放出する際、スタッカ部から取り出された現金は、紙幣識別部で再度識別された上で、問題がなければ、紙幣取出口へ送り出される。
【０００６】
また、スタッカ部に一定以上の現金が収納されると、そのスタッカ部内の現金の一部を、自動的に、もしくは、オペレータの指示により現金回収部に回収し、その現金回収部に回収された現金を、オペレータが抜き取って納金することが行なわれている。なお、その際も、スタッカ部から取り出された現金は、一旦、紙幣識別部で識別された上で、問題がなければ、現金回収部に回収される。
【０００７】
【発明が解決しようとする課題】
ところで、通常、現金処理ユニットにおいて、外部から顧客により投入された紙幣を識別する紙幣識別部と、スタッカ部から外部へ放出される紙幣やスタッカ部から回収部へ回収される紙幣を識別する紙幣識別部とは別個のものとしてそなえられている。つまり、２つの紙幣識別部がそなえられている。しかし、近年、装置の小型化かつ低コスト化を実現するために、紙幣識別部を１つだけにして、入金時の識別と出金／回収時の識別とを１つの紙幣識別部で行なうようになっている。
【０００８】
このように紙幣識別部を１つだけにした場合、当然、紙幣識別部において、入金紙幣の識別と回収紙幣の識別とを同時に行なうことはできない。つまり、入金処理と回収処理とを同時に行なうことができないので、投票券自動発売機で現金（紙幣）の回収を行なう際には、その投票券自動発売機を休止状態にする必要がある。
【０００９】
スタッカ部から現金回収部への紙幣回収は、スタッカ部に一定枚数以上の紙幣が収納された場合以外に、投票券の発売締切り間近で他の投票券自動発売機で資金不足が発生したために両替を行なう場合などにも必要となり、その際にも、投票券自動発売機を休止状態にしなければならない。従って、投票券の発売締切り間近で顧客が混雑するような時間帯に、投票券自動発売機を休止させなければならず、顧客を待たせることになり、顧客に対するサービスを大幅に低下させてしまうという課題があった。
【００１０】
特に、投票券自動発売機のような自動取引装置では、銀行で用いられるＡＴＭ（Ａｕｔｏｍａｔｉｃ  Ｔｅｌｌｅｒ  Ｍａｃｈｉｎｅ）のような自動取引装置に比べ、出金処理よりも入金処理の方が主たる処理となっているため、現金回収を行なう頻度が高い。つまりは、現金回収中に入金処理依頼（顧客による現金投入）が発生する可能性が大きく、顧客を待たせる機会が多くなってしまう。
【００１１】
本発明は、このような課題に鑑み創案されたもので、現金回収中であっても運用（入金処理）を止めることなく、効率的な運用を可能にし、顧客に対するサービスの向上をはかった、現金処理ユニット，自動取引装置および同装置における現金回収方法を提供することを目的とする。
【００１２】
【課題を解決するための手段】
上記目的を達成するために、本発明の現金処理ユニット（請求項１）は、現金挿入口から投入された現金を金種別に収納するスタッカ部と、外部へ取り出すべき現金を収納する現金回収部と、現金の識別を行なう単一の現金識別部と、現金挿入口からの現金を金種別にスタッカ部もしくは現金回収部に収納させる入金処理とスタッカ部の現金を現金取出口へ送出させる出金処理とスタッカ部の現金を回収して現金回収部に収納させる回収処理とを実行すべく現金の搬送を制御する制御部とをそなえ、現金識別部が、前記の入金処理，出金処理および回収処理に際して現金の識別を行なうとともに、制御部が、回収処理の実行中に入金処理の実行要求を受けると、スタッカ部から現金回収部に回収すべき回収残枚数が予め設定された回収中断可否枚数以下かどうかを判断し、前記回収残枚数が前記回収中断可否枚数よりも大きい場合には、実行中の回収処理を中断させて入金処理を優先的に実行させて、当該入金処理を完了した後に、中断した回収処理を再開させる一方、前記回収残枚数が前記回収中断可否枚数以下である場合には、回収処理を完了させてから入金処理を実行させるように、現金の搬送を制御することを特徴としている。
【００１３】
また、本発明の自動取引装置（請求項２）は、現金挿入口から投入された現金を金種別に収納するスタッカ部と、外部へ取り出すべき現金を収納する現金回収部と、現金の識別を行なう単一の現金識別部と、現金挿入口からの現金を金種別にスタッカ部もしくは現金回収部に収納させる入金処理とスタッカ部の現金を現金取出口へ送出させる出金処理とスタッカ部の現金を回収して現金回収部に収納させる回収処理とを実行すべく現金の搬送を制御する制御部とを有してなる現金処理ユニットをそなえ、前記の入金処理，出金処理および回収処理に際して現金識別部により現金の識別を行ないながら現金の入出金処理を伴う取引を自動的に行なうものであって、制御部が、回収処理の実行中に前記入金処理の実行要求を受けると、スタッカ部から現金回収部に回収すべき回収残枚数が予め設定された回収中断可否枚数以下かどうかを判断し、前記回収残枚数が前記回収中断可否枚数よりも大きい場合には、実行中の回収処理を中断させて入金処理を優先的に実行させて、当該入金処理を完了した後に、中断した回収処理を再開させる一方、前記回収残枚数が前記回収中断可否枚数以下である場合には、回収処理を完了させてから入金処理を実行させるように、現金の搬送を制御することを特徴としている。
【００１４】
さらに、本発明の自動取引装置における現金回収方法（請求項３）は、現金挿入口からの現金を金種別にスタッカ部もしくは現金回収部に収納させる入金処理とスタッカ部の現金を現金取出口へ送出させる出金処理とスタッカ部の現金を回収して現金回収部に収納させる回収処理とを実行できるように構成された現金処理ユニットをそなえ、前記の入金処理，出金処理および回収処理に際して単一の現金識別部により現金の識別を行ないながら現金の入出金処理を伴う取引を自動的に行なう自動取引装置における現金回収方法であって、回収処理の実行中に入金処理の実行要求を受けると、スタッカ部から現金回収部に回収すべき回収残枚数が予め設定された回収中断可否枚数以下かどうかを判断し、前記回収残枚数が前記回収中断可否枚数よりも大きい場合には実行中の回収処理を中断して入金処理を優先的に実行し、当該入金処理を完了した後に、中断した回収処理を再開する一方、前記回収残枚数が前記回収中断可否枚数以下である場合には回収処理を完了させてから入金処理を実行することを特徴としている。
【００１５】
上述した本発明の現金処理ユニット（請求項１），自動取引装置（請求項２）および同装置における現金回収方法（請求項３）では、回収処理の実行中に入金処理の実行要求を受けると、実行中の回収処理を中断して入金処理が優先的に実行され、その入金処理を完了した後に、中断した回収処理が再開されるようになる。従って、入金処理，出金処理および回収処理の際における現金の識別を共通の現金識別部により行なう構成で回収処理を実行しても、入金処理を休止させる必要がなくなる。
【００１６】
【発明の実施の形態】
以下、図面を参照して本発明の実施の形態を説明する。
まず、図３〜図１１を参照しながら、本発明の一実施形態としての自動取引装置の詳細な構成および基本的な機能（動作）について説明する。なお、本実施形態においても、自動取引装置が、競馬，競輪，競艇，オートレース等では、顧客により例えばマークシート方式で所定情報を記入された投票カードを読み取り、その読取結果と顧客により投入された現金とに基づき、所定の投票券を自動的に発行・発売する投票券自動発売機である場合について説明する。
【００１７】
図３は本実施形態の投票券自動発売機の機能的な構成を示すブロック図で、この図３に示すように、本実施形態の投票券自動発売機（自動取引装置）１は、顧客操作部２，現金処理ユニット３，投票カード読取ユニット４，投票券発行ユニット５，控券プリンタユニット６，後面操作部７および制御部８を有して構成されている。
【００１８】
ここで、顧客操作部２は、投票券自動発売機１を利用して投票券を購入しようとしている顧客により、その投票券の購入に必要な情報を投票券自動発売機１に入力するために操作されるもので、顧客操作画面２１（図４，図５参照）や精算ボタン２２を含んでいる。
顧客操作画面２１は、顧客が情報入力を行なうために必要な各種情報を表示するとともに、顧客操作用のタッチパネルとして利用されるもので、この顧客操作画面２１の表示状態は制御部８により制御され、顧客操作画面２１上のタッチパネルからの入力情報は制御部８へ送出されるようになっている。また、精算ボタン２２（図４参照）は、入金や投票カード挿入を終えた顧客により押下操作されるもので、この精算ボタン２２の押下操作に伴い制御部８によって顧客に対する精算処理が行なわれるようになっている。なお、精算処理としては、現金処理ユニット３において釣銭を紙幣挿入口／取出口３０や硬貨取出口３ｂへ送り出す処理や、投票券発行ユニット５において投票券を投票券取出口６０へ送り出す処理が行なわれる。
【００１９】
現金処理ユニット３は、顧客により入金された現金（紙幣，硬貨）の処理（入金処理）や、顧客に現金（紙幣，硬貨）を払い出す処理（出金処理）や、内部に蓄積された現金を納金すべく回収する処理（回収処理）などを行なうもので、紙幣（万円，千円，五千円）を取り扱う紙幣ユニット３Ａと、硬貨を取り扱う硬貨ユニット３Ｂとを有している。なお、本発明の特徴に係わる紙幣ユニット３Ａの詳細構成と、この紙幣ユニット３Ａで行なわれる入金処理，出金処理および回収処理の詳細とについては、図７を参照しながら後述する。
【００２０】
投票カード読取ユニット４は、顧客により例えばマークシート方式で所定情報を記入された投票カードを読み取るもので、この投票カード読取ユニット４により読み取られた前記所定情報は制御部８へ送られるようになっている。なお、投票カード読取ユニット４の詳細構成および動作については、図８を参照しながら後述する。
【００２１】
投票券発行ユニット５は、投票カード読取ユニット４により読み取られた前記所定情報に応じた投票券を、所定の用紙（ロール紙５１ａ；図１１参照）に印刷して発行するものである。なお、投票券発行ユニット５の詳細構成および動作については、図９〜図１１を参照しながら後述する。
控券プリンタユニット６は、投票券発行ユニット５により発行された投票券に関する情報（投票券の発行状況等）を、投票券自動発売機１の運用者側で管理すべく、投票券の控券（ジャーナル等）を印刷するものである。
【００２２】
後面操作部７は、投票券自動発売機１の保守・管理のために、オペレータにより各種情報（例えば、現金処理ユニット３に対する回収指示，紙幣回収枚数等）を制御部８へ入力するためのもので、ランプ，スイッチ類のほかタッチパネル付きの表示画面などから構成されている。
制御部８は、ホスト計算機に接続され、顧客操作部２からの入力情報，現金処理ユニット３への入金額，投票カード読取ユニット４からの読取情報，後面操作部７からの入力情報などに基づいて、顧客操作部２における顧客操作画面２１の表示状態を制御したり、現金処理ユニット３，投票券発行ユニット５，控券プリンタユニット６などの動作を制御したりするものである。
【００２３】
また、図４〜図６は、いずれも本実施形態の投票券自動発売機１の外観を示すもので、図４はその正面図、図５は図４のＶ矢視図、図６は図５のＶＩ矢視図である。
本実施形態の投票券自動発売機１の正面側（顧客側）には、図４や図５に示すように、硬貨挿入口３ａ，硬貨取出口３ｂ，顧客操作画面２１，精算ボタン２２，紙幣挿入口／取出口３０，投票カード挿入口４１，投票カード排出口４６，投票券取出口（券出口部）６０がそなえられている。
【００２４】
図６には、本実施形態の投票券自動発売機１の後面（運用者側）が、その後面扉を取り除いた状態で示されている。なお、図６では、控券プリンタユニット６や後面操作部７の図示は省略されている。
投票券自動発売機１の後面扉を開放すると、図６に示すように、前述した現金処理ユニット３（紙幣ユニット３Ａおよび硬貨ユニット３Ｂ），投票カード読取ユニット４，投票券発行ユニット５などが外部へ露出されることになり、オペレータは、これらのユニット３〜５に対して直接的にアクセスできるようになっている。また、投票券発行ユニット５の後面には、図９および図１０を参照しながら後述するごとく、取り忘れ投票券１０ａを把持する上下一対の取り忘れ投票券把持ローラ６２がそなえられるとともに、不良投票券（廃券）１０ｂを収納する不良投票券スタッカ（廃券スタッカ）６３がそなえられている。
【００２５】
上述のような投票券自動発売機１の基本的な動作について簡単に説明する。
投票券を購入しようとする顧客は、紙幣挿入口／取出口３０や硬貨挿入口３ａに現金を投入するとともに、投票カード挿入口４１に、マークシート方式で所定情報を記入された投票カードを挿入する。紙幣挿入口／取出口３０や硬貨挿入口３ａを通じて投入された現金は現金処理ユニット３で識別され、投入金額が制御部８へ通知される。また、投票カードに記入された所定情報は、投票カード読取ユニット４で読み取られ、その読取結果も制御部８へ通知される。そして、制御部８は、投票カード読取ユニット４からの読取結果に応じて投票券発行ユニット５に指示を出力し、投票券発行ユニット５に、前記所定情報に応じた投票券を印刷・発行させる。
【００２６】
現金投入や投票カードの挿入を終えた顧客の精算指示（精算ボタン２２の押下操作）に応じて、制御部８は、投票券発行ユニット５で発券された投票券を投票券取出口６０へ放出させるとともに、現金処理ユニット３に、投入金額と投票券の総額との差額分を釣銭として紙幣挿入口／取出口３０や硬貨挿入口３ａを通じて放出させる。
【００２７】
ついで、図７〜図１１を参照しながら、本実施形態の投票券自動発売機１を成すユニットの詳細構成について説明する。
図７は、本実施形態の投票券自動発売機１における紙幣ユニット３Ａの詳細構成を示す模式図である。本実施形態では、この紙幣ユニット３Ａに本発明の特徴的な技術が適用されている。
【００２８】
本実施形態の紙幣ユニット３Ａでは、図７に示すように、外部（顧客側）と紙幣ユニット３Ａの内部とを連通する紙幣挿入口／取出口（現金挿入口兼現金取出口）３０がそなえられ、顧客により投入された紙幣は、入金口部３０ａを通じて紙幣ユニット３Ａの内部へ送り込まれる一方、釣銭等として放出される紙幣は、出金口部３０ｂを通じて外部へ送り出されるようになっている。紙幣挿入口／取出口３０は、通常の運用時には図４に示すように顧客側に露出している。
【００２９】
また、紙幣ユニット３Ａ内には、紙幣識別部（現金識別部）３１，千円スタッカ部３２，万円スタッカ部３３，千円回収部（千円／万円補充部）３４，万円回収部３５，五千円回収部３６，リジェクト回収部３７，取り忘れ取り込みボックス３８，制御部３９および搬送経路４０ａ〜４０ｋ，４０ｍ，４０ｎがそなえられている。
【００３０】
紙幣識別部（現金識別部）３１は、本実施形態では１つだけそなえられ、入金処理，出金処理および回収処理に際して紙幣の識別を行なうものである。なお、識別対象の紙幣は、図７の矢印で示すように、紙幣識別部３１を上側から下側へ向けて通過しながら識別されるようになっている。
千円スタッカ部３２および万円スタッカ部３３は、紙幣挿入口／取出口３０から投入され紙幣識別部３１で識別された紙幣のうち、千円および万円をそれぞれ収納するものであり、その入口部分には、それぞれ千円一時保留部３２ａおよび万円一時保留部３３ａがそなえられている。
【００３１】
出金処理に際して釣銭等が必要な場合にはスタッカ部３２および３３内の紙幣が用いられるようになっており、従って、千円および万円を、それぞれスタッカ部３２および３３から取り出して、紙幣識別部３１による識別後に紙幣挿入口／取出口３０から外部へ放出できるように構成されている。
また、一時保留部３２ａおよび３３ａは、それぞれ、顧客によって入金された千円および万円を、その顧客との取引を正常に完了するまで、一時的に保持するものであり、一顧客との取引が正常に完了した時点で、一時保留部３２ａおよび３３ａにそれぞれ保持されていた千円および万円が、スタッカ部３２および３３に正式に収納されるようになっている。そして、顧客との取引を正常に完了できなかった場合（手続き中断等の場合）には、一時保留部３２ａおよび３３ａに保持されていた紙幣（その顧客が挿入した紙幣そのもの）が返却される。
【００３２】
千円回収部（千円／万円補充部）３４，万円回収部３５および五千円回収部３６は、それぞれ、オペレータが納金のために外部へ取り出すべき千円，万円および五千円を収納するものである。
千円および万円については、それぞれ、スタッカ部３２および３３に収納されているものが、オペレータによる回収指示等に応じて、スタッカ部３２および３３から紙幣識別部３１を経由して千円回収部３４および万円回収部３５に回収される。
【００３３】
また、本実施形態の投票券自動発売機１では五千円を出金（釣銭）に用いていないので、紙幣挿入口／取出口３０から投入され紙幣識別部３１で識別された五千円は、五千円回収部３６へ直接的に収納されるようになっている。ただし、この五千円回収部３６にも、前述した一時保留部３２ａ，３３ａと同様の五千円一時保留部３６ａがそなえられている。この五千円一時保留部３６ａも、顧客によって入金された五千円を、その顧客との取引を正常に完了するまで、一時的に保持するものであり、一顧客との取引が正常に完了した時点で、一時保留部３３ａに保持されていた五千円が、五千円回収部３６に正式に収納されるようになっている。そして、顧客との取引を正常に完了できなかった場合（手続き中断等の場合）には、一時保留部３６ａに保持されていた五千円（その顧客が挿入した五千円そのもの）が返却される。
【００３４】
さらに、本実施形態では、千円回収部３４は、千円／万円補充部として兼用されている。投票券自動発売機１内の紙幣（千円，万円）の残量が少なくなり、補充が必要になった場合には、オペレータが、投票券自動発売機１の後面側から、千円回収部３４内に千円，万円を混在した状態で補充する。この千円回収部３４に補充された紙幣は、紙幣識別部３１で識別された後、千円は千円スタッカ部３２へ、万円は万円スタッカ部３３へそれぞれ搬送されて収納される。
【００３５】
リジェクト回収部３７は、紙幣識別部３１で識別エラーとなり回収された紙幣を収納するものであり、紙幣補充時（千円回収部３４からスタッカ部３２，３３への補充時）に識別エラーとなった紙幣と、紙幣出金時（スタッカ部３２，３３から紙幣挿入口／取出口３０への送出時）に識別エラーとなった紙幣とが区分けされて収納されるようになっている。
【００３６】
取り忘れ取り込みボックス３８は、紙幣挿入口／取出口３０へ釣銭等として放出したが顧客により受け取られなかったために回収された紙幣を取り込んで収納するものであり、この取り忘れ取り込みボックス３８に取り込まれた紙幣は事故金として取り扱われる。
上述した紙幣挿入口／取出口３０，紙幣識別部３１，スタッカ部３２，３３，回収部３４〜３６，リジェクト回収部３７および取り忘れ取り込みボックス３８の間には、紙幣を搬送するための経路（搬送経路４０ａ〜４０ｋ，４０ｍ，４０ｎ）が形成されており、制御部３９により、紙幣ユニット３Ａで実行すべき処理に応じて、紙幣の通過すべき経路が適宜選択されるようになっている。
【００３７】
つまり、紙幣補充時において、千円回収部３４の紙幣は、搬送経路４０ｊ，４０ｋ，４０ａを通って紙幣識別部３１に至り、この紙幣識別部３１で千円と識別された紙幣は、搬送経路４０ｂ，４０ｃを通って千円スタッカ部３２に収納されるとともに、万円と識別された紙幣は、搬送経路４０ｂ，４０ｄを通って万円スタッカ部３３に収納される。
【００３８】
入金処理時において、紙幣挿入口／取出口３０に挿入された千円は、入金口部３０ａから、搬送経路４０ａ→紙幣識別部３１→搬送経路４０ｂ→搬送経路４０ｃと通過して千円スタッカ部３２へ搬送される。同様に、紙幣挿入口／取出口３０に挿入された万円は、入金口部３０ａから、搬送経路４０ａ→紙幣識別部３１→搬送経路４０ｂ→搬送経路４０ｄと通過して万円スタッカ部３３へ搬送される。また、紙幣挿入口／取出口３０に挿入された五千円は、入金口部３０ａから、搬送経路４０ａ→紙幣識別部３１→搬送経路４０ｂ→搬送経路４０ｅと通過して五千円回収部３６へ搬送される。
【００３９】
さらに、出金処理時において、千円スタッカ部３２内の千円は、搬送経路４０ｃ，４０ｇを通って紙幣識別部３１に至った後、搬送経路４０ｈ，４０ｍを通って出金口部３０ｂへ送り出される。同様に、万円スタッカ部３３内の万円は、搬送経路４０ｄ，４０ｇを通って紙幣識別部３１に至った後、搬送経路４０ｈ，４０ｍを通って出金口部３０ｂへ送り出される。
【００４０】
そして、回収処理時において、千円スタッカ部３２内の千円は、搬送経路４０ｃ，４０ｇを通って紙幣識別部３１に至った後、搬送経路４０ｈ，４０ｊを通って千円回収部３４へ搬送される。同様に、万円スタッカ部３３内の万円は、搬送経路４０ｄ，４０ｇを通って紙幣識別部３１に至った後、搬送経路４０ｈ，４０ｉを通って万円回収部３５へ搬送される。
【００４１】
なお、紙幣識別部３１で識別エラーとなった紙幣は、搬送経路４０ｆを通ってリジェクト回収部３７に回収・収納される。
また、紙幣挿入口／取出口３０で顧客により受け取られなかった紙幣は、搬送経路４０ｎを通って取り忘れ取り込みボックス３８に回収・収納される。
さて、本実施形態の紙幣ユニット３Ａにおける制御部３９は、紙幣挿入口／取出口３０からの紙幣を金種別にスタッカ部３２，３３もしくは五千円回収部３６に収納させる入金処理と、スタッカ部３２，３３の紙幣を紙幣挿入口／取出口３０へ送出させる出金処理と、スタッカ部３２，３３の紙幣を回収してそれぞれ回収部３４，３５に収納させる回収処理と、千円回収部３４にオペレータにより収納された紙幣をスタッカ部３２，３３に補充する補充処理とを実行すべく、紙幣の搬送を制御する、即ち、前述のごとく紙幣の搬送経路４０ａ〜４０ｋ，４０ｍ，４０ｎを選択制御するものである。
【００４２】
このような制御部３９の機能により、紙幣ユニット３Ａにおいて、顧客により投入された紙幣は、紙幣識別部３１で識別された後、金種毎にスタッカ部３２，３３もしくは五千円回収部３６に収納される。また、釣銭としてスタッカ部３２，３３の紙幣を放出する場合、スタッカ部３２，３３の紙幣は、紙幣識別部３１で識別された後、紙幣挿入口／取出口３０へ放出される。釣銭放出のための資金は、運用開始前に千円回収部３４にオペレータが紙幣をセットすることにより、自動的に紙幣識別部３１で識別されてから金種毎にスタッカ部３２，３３に収納される。さらに、運用の終了等に伴いスタッカ部３２，３３の紙幣を回収する場合、スタッカ部３２，３３の紙幣は、紙幣識別部３１で識別された後、それぞれ回収部３４，３５に回収・収納され、これらの回収部３４，３５からオペレータにより抜き取られて納金される。
【００４３】
そして、本実施形態の制御部３９は、図１および図２を参照しながら後述するごとく、紙幣ユニット３Ａにおいて本発明の特徴に係る回収処理／回収中断処理を実行させるように機能するものである。
即ち、制御部３９は、回収処理の実行中に入金処理の実行要求を受けると（例えば顧客が紙幣挿入口／取出口３０に紙幣を挿入したことを検知すると）、実行中の回収処理を中断させて入金処理を優先的に実行させるように、紙幣の搬送を制御する機能を有している。
【００４４】
このとき、制御部３９は、入金処理の実行要求発生時にスタッカ部３２，３３と回収部３４，３５との間の回収経路（搬送経路４０ｃ，４０ｄ，４０ｇ〜４０ｊ）上に存在する紙幣をすべて回収部３４，３５へ収納させた後、その回収処理を中断させるように制御する機能を有するほか、スタッカ部３２，３３から回収部３４，３５に回収すべき紙幣の残り枚数（現金の残量）に基づき、実行中の回収処理を中断させて入金処理を優先させるか否かを判定する機能も有している。従って、制御部３９は、上記判定機能を実現するために、回収処理の実行中、回収すべき紙幣の残り枚数を検知する機能も有している。なお、上記判定機能については、図１を参照しながら後述する。
【００４５】
図８は、本実施形態の投票券自動発売機１における投票カード読取ユニット４の詳細構成を模式的に示すブロック図であり、この図８に示すように、本実施形態の投票カード読取ユニット４は、投票カード挿入口４１，二枚検出部４２，表側読取部４３，裏側読取部４４，整列収納部４５，投票カード排出口４６および制御部４７から構成されている。
【００４６】
投票カード挿入口４１は、通常の運用時には図４に示すように顧客側に露出しており、顧客により、マークシート方式で所定情報を記入された投票カードを挿入されるものである。この投票カード挿入口４１から挿入された投票カードは、投票カード読取ユニット４内において、図８中の矢印で示す方向へ搬送されるようになっている。この投票カード挿入口４１には、顧客に対し投票カード挿入口４１の位置を明示する際に点滅するフリッカランプ４１ａが付設されている。また、投票カード挿入口４１には、複数枚（例えば２０枚）の投票カードを同時に挿入することができるようになっている。
【００４７】
二枚検出部４２は、投票カード挿入口４１に複数枚の投票カードを同時に挿入した際に、投票カードを１枚ずつ取り込んで読み取るべく、投票カードが二枚以上重なり合っていないか否かを検出するものであり、二枚以上重なり合っている場合には、一枚ずつに分離させる機能も有している。
表側読取部４３および裏側読取部４４は、それぞれ、投票カードの表裏面にマークシート方式で記入された情報を光学的に読み取るためのものである。なお、これらの読取部４３，４４により正常な読取を行なえなかった投票カードは、そのまま投票カード排出口４６から顧客側へ送り出される。
【００４８】
整列収納部４５は、読取部４３，４４により正常に読み取られた投票カードを読取順に収納するものであるが、その入口部には、投票カードを挿入した顧客との取引を正常に完了するまでその投票カードを一時的に保持する一時保留部４５ａがそなえられている。一顧客との取引が正常に完了した時点で、一時保留部４５ａに保持されていた投票カードは、整列収納部４５に正式に収納されるようになっている。そして、顧客との取引を正常に完了できなかった場合（手続き中断等の場合）には、一時保留部４５ａに保持されていた投票カードは、投票カード排出口４６から顧客側へ送り出される。
【００４９】
投票カード排出口４６は、前述したように、読取を行なえなかった投票カードや、正常に取引を完了できなかった際の投票カードを顧客側に送り出すもので、この投票カード排出口４６には、投票カード送出時に、その旨を顧客に対し通知すべく点滅するフリッカランプ４６ａが付設されている。
制御部４７は、投票カード読取ユニット４の動作（つまり、二枚検出部４２による検出動作や、読取部４３，４４による読取動作や、整列収納部４５への投票カード収納動作や、投票カードの送出動作など）を制御するもので、電源４７ａを有するとともに、上位（制御部８）と信号接続するための信号端子４７ｂを有している。
【００５０】
上述のような投票カード読取ユニット４において、顧客により投票カード挿入口４１に挿入された複数枚の投票カードは、二枚検出部４２で１枚ずつに確実に分離されてから、読取部４３，４４により両面の情報を読み取られる。ここで読み取られた情報は、前述した通り、制御部４７の信号端子４７ｂを通じて、投票券自動発売機１の全体を管理する制御部８に送られる。
【００５１】
図９〜図１１は、いずれも本実施形態の投票券自動発売機１における投票券発行ユニット５を示すもので、図９はその詳細構成を模式的に示すブロック図、図１０はその詳細構成を示す側面図、図１１はその投票券発行ユニット５における投票券プリンタ５０の詳細構成を示す正面図である。
図９および図１０に示すように、本実施形態の投票券発行ユニット５は、投票券プリンタ５０，方向切替部５５，バーコードリーダ５６，ストッパ部５７，パンチ部５８，方向切替部５９，投票券取出口（券出口部）６０，引込み部６１，取り忘れ投票券把持ローラ６２，不良投票券スタッカ（廃券スタッカ）６３および長券／残券スタッカ６４から構成されている。
【００５２】
投票券プリンタ５０は、図９および図１１に示すように、給紙部５１，リボンカセット部５２，サーマルヘッド部５３およびカッタ／モータ部５４を有して構成されている。給紙部５１は、ロール紙５１ａを保持しており、そのロール紙５１ａがサーマルヘッド部５３へ順次送り出される。また、リボンカセット部５２は、インクリボン５２ａを保持しており、そのインクリボン５２ａがサーマルヘッド部５３へ順次送り出される。そして、サーマルヘッド５３とインクリボン５２ａとの間を通過するロール紙５１ａに対して、制御部８からの指示に応じた印刷が熱転写により施される。印刷を施されたロール紙５１ａは、カッタ／モータ部５４（図１１では図示省略）により所定の一券長に切断されてから、投票券１０として方向切替部５５へ送り出されるようになっている。
【００５３】
方向切替部５５は、図１０に示すように、投票券プリンタ５０から送り出された投票券１０の搬送方向を９０度切り替えてから、券出口部６０へ向けて送り出すものである。
なお、投票券プリンタ５０では、運用者のために通常の投票券１０の約三券長分にあたる伝票券（長券）を印刷する場合や、ロール紙５１ａのセット時の頭出しで残券が生じる場合があるが、これらの長券や残券は、方向切替部５５で方向を切り替えられることなく、図９に示すようにそのまま送り出され、長券／残券スタッカ６４（図１０では図示省略）へ収納されるようになっている。
【００５４】
バーコードリーダ５６は、方向切替部５５で方向を変更され搬送されてきた投票券１０に印刷されているバーコードを光学的に読み取るものであり、このバーコードリーダ５６によって投票券１０のバーコードが正しく読み取られたか否かによって、投票券１０に対する印刷が正常に行なわれたか否かを判断している。ストッパ部５７は、バーコードリーダ５６による読取結果が正常でないと判断された投票券１０の搬送を停止させるものであり、パンチ部５８は、ストッパ部５７により停止させられた投票券１０に穿孔を施すものである。
【００５５】
方向切替部５９は、バーコードリーダ５６による読取結果が正常であると判断された投票券１０をそのまま投票券取出口（券出口部）６０へ送り出す一方、パンチ部５８により穿孔を施された投票券１０の搬送方向を、図１０の矢印Ｂで示すような方向へ切り替えるものである。
投票券取出口（券出口部）６０は、通常の運用時には図４に示すように顧客側に露出しており、方向切替部５９を通過して搬送されてきた投票券１０を顧客側へ送り出すものであり、フリッカランプ６０ａを付設されるとともに一時保留部６０ｂを有している。フリッカランプ６０ａは、投票券１０の送出時に、その旨を顧客に対し通知すべく点滅するものである。また、一時保留部６０ｂは、顧客との取引を正常に完了するまで投票券１０を一時的に保持するもので、一顧客との取引が正常に完了した時点で、一時保留部６０ｂに保持されている投票券１０が、正式に投票券取出口６０から顧客側へ送出されるようになっている。
【００５６】
引込み部６１は、方向切り替え部５９で搬送方向を矢印Ｂ方向へ切り替えられた不良投票券（廃券；穿孔済の投票券）１０ｂを運用者側（後面側）に引き込んで、不良投票券スタッカ（廃券スタッカ）６３に排出するものである。また、この引込み部６１は、投票券取出口６０から顧客側へ送り出したが顧客により受け取られなかった投票券１０を、取り忘れ投票券１０ａとして図１０の矢印Ａ方向へ引き込み、運用者側（後面側）における上下一対の取り忘れ投票券把持ローラ６２，６２により挟持させる機能も果たす。このような取り忘れ投票券１０ａが発生した場合には、その旨がアラーム等によりオペレータに通知される。
【００５７】
次に、本実施形態の紙幣ユニット３Ａの制御部３９による回収処理／回収中断処理について、図１および図２を参照しながら説明する。なお、図１および図２は、それぞれ、本実施形態の投票券自動発売機１における紙幣ユニット３Ａの制御部３９による回収中断処理および回収処理を説明するためのフローチャートである。
【００５８】
投票券自動発売機１の通常運用中に紙幣ユニット３Ａのスタッカ部３２，３３から紙幣を回収する場合に、例えばオペレータが後面操作部７を操作して回収すべき紙幣の枚数を入力し、紙幣ユニット３Ａの制御部３９に対して回収処理の起動を要求したとする。このとき、従来は通常運用を休止させていたが、本実施形態の投票券自動発売機１ではその運用を休止させない。
【００５９】
図２のフローチャート（ステップＳ１１〜Ｓ１６）に示すように、回収処理を起動し回収処理を開始すると（ステップＳ１１）、顧客による紙幣挿入口／取出口３０への現金（紙幣）の投入が発生したか否かの判定（ステップＳ１２）と、回収処理に何らかの異常が発生したか否かの判定（ステップＳ１３）とを行ないながら、指定枚数分の紙幣回収を終了するまで（ステップＳ１４でＹＥＳ判定となるまで）、投票券自動発売機１の運用を休止させることなく、回収処理、つまり、スタッカ部３２，３３から回収部３４，３５への紙幣回収・収納を継続して行なう（ステップＳ１２〜Ｓ１４のＮＯルートからステップＳ１１）。
【００６０】
ステップＳ１３で何らかの異常が発生したと判定された場合（ＹＥＳルート）には、オペレータに対して異常通知を行なってから（ステップＳ１５）、回収処理を終了する。
このとき、投票券自動発売機１の運用を休止させていないので、顧客は紙幣を紙幣挿入口／取出口３０から投票券自動発売機１に投入することが可能である。本実施形態では、回収処理の実行中に、紙幣挿入口／取出口３０に紙幣が挿入されたことを検知した場合、即ち、ステップＳ１２で顧客による紙幣挿入口／取出口３０への現金（紙幣）の投入が発生したと判定された場合（ＹＥＳルート）、図１のフローチャート（ステップＳ２１〜Ｓ２８）に示すような回収中断処理へ移行する（ステップＳ１６）。
【００６１】
回収中断処理では、まず、スタッカ部３２，３３から現金回収部３４，３５に回収すべき紙幣の残り枚数（回収残枚数）が、予め設定されている回収中断可否枚数以下か否かを判定する（ステップＳ２１）。
回収残枚数が回収中断可否枚数よりも大きい場合（ＮＯルート）には、入金処理の実行要求発生時（紙幣挿入時）にスタッカ部３２，３３と回収部３４，３５との間の回収経路（搬送経路４０ｃ，４０ｄ，４０ｇ〜４０ｊ）上に存在する紙幣をすべて回収部３４，３５へ収納してから（ステップＳ２２）、その回収処理を中断して、入金処理を優先的に実行し、紙幣挿入口／取出口３０に投入された紙幣を、紙幣識別部３１により識別した後、金種別にスタッカ部３２，３３もしくは五千円回収部３６に収納する（ステップＳ２３）。このようにして入金処理を完了すると、回収中断処理を終了し図２のステップＳ１１に戻って、中断していた回収処理を再開する。
【００６２】
一方、回収残枚数が回収中断可否枚数以下である場合（ステップＳ２１のＹＥＳルート）には、紙幣挿入口／取出口３０に投入された紙幣を一時保留した状態で、回収処理を続行する（ステップＳ２４）。その際、回収処理に何らかの異常が発生したか否かの判定（ステップＳ２５）を行ないながら、指定枚数分の紙幣回収を終了するまで（ステップＳ２６でＹＥＳ判定となるまで）、投入紙幣を一時保留した状態での回収処理を継続して行なう（ステップＳ２５，Ｓ２６のＮＯルートからステップＳ２４）。
【００６３】
ステップＳ２５で何らかの異常が発生したと判定された場合（ＹＥＳルート）には、オペレータに対して異常通知を行なってから（ステップＳ２８）、回収処理／回収中断処理を終了する。
指定枚数分の紙幣回収を終了すると（ステップＳ２６のＹＥＳルート）、一時保留していた投入紙幣を、紙幣ユニット３Ａ内に取り込んで、紙幣識別部３１により識別した後、金種別にスタッカ部３２，３３もしくは五千円回収部３６に収納し（ステップＳ２７）、回収処理／回収中断処理を終了する。
【００６４】
このように、本実施形態では、紙幣の回収を中断する場合の可否判断用の残枚数を予め設定し、回収処理の実行中に顧客が紙幣を挿入した時に回収処理を中断するか否かを回収残枚数により判断し、残枚数が回収中断可否判断用枚数以下ならば中断しないようにしている。
具体的な数値で説明する。オペレータにより指定された紙幣の回収枚数が１００枚で、回収中断可否判断用枚数として１０枚が設定されている場合、
例えば、紙幣の回収が５０枚まで計数中に顧客が紙幣を挿入した場合、回収残枚数が５０枚であり回収中断可否判断用枚数である１０枚よりも大きいので、回収処理を中断して挿入紙幣の入金処理を優先することになる。また、例えば、紙幣の回収が９０枚まで進んでいる時点で顧客が紙幣を挿入した場合、回収残枚数が１０枚であり回収中断可否判断用枚数である１０枚以下であるので、回収処理を中断することなく回収処理を完了してから、挿入紙幣の入金処理を実行することになる。
【００６５】
なお、上述した例では、紙幣の回収枚数をオペレータが指定して回収処理を起動している場合について説明しているが、スタッカ部３２，３３に所定枚数以上の紙幣が収納されると設定枚数だけ回収するように回収処理を自動的に起動させるように設定でき、本実施形態では、この場合にも、上述と同様の回収処理／回収中断処理を実行することができる。
【００６６】
このように、本発明の一実施形態としての投票券自動発売機１（紙幣ユニット３Ａ）によれば、回収処理の実行中に紙幣が投入されると、実行中の回収処理を中断して投入紙幣の入金処理が優先的に実行されるので、入金処理，出金処理および回収処理の際における現金の識別を共通の紙幣識別部３１により行なう構成で回収処理を実行しても、運用（入金処理）を止める必要がなく、効率的な運用を実現でき、顧客に対するサービスが大幅に向上する。
【００６７】
このとき、回収処理を中断する前に回収経路上に存在する紙幣をすべて回収部３４，３５へ収納しておくことにより、入金処理で搬送される紙幣が回収途中の紙幣と干渉し合うのを確実に防止できるので、紙幣ユニット３Ａ内でジャム等のトラブルが発生するのを確実に防止することができる。
また、回収終了間際（つまり回収すべき紙幣の残枚数が少ない時）には、回収処理を中断せずに回収処理を完了させてから入金処理を実行するので、投票券自動発売機１の運用者にとっても効率的な運用（回収処理）を実現することができる。
【００６８】
なお、本発明は上述した実施形態に限定されるものではなく、本発明の趣旨を逸脱しない範囲で種々変形して実施することができる。
例えば、上述した実施形態では、本発明を投票券自動発売機に適用した場合について説明しているが、本発明は、これに限定されるものではなく、銀行等で利用されるＡＴＭを含む、あらゆる自動取引装置に適用され、上述した実施形態と同様の作用効果を得ることができる。
【００６９】
また、上述した実施形態では、本発明を投票券自動発売機１の紙幣ユニット３Ａに適用した場合について説明しているが、本発明は、硬貨ユニット３Ｂにも上述と同様にして適用することが可能である。
さらに、上述した実施形態では、出金処理が釣銭の払出しである場合について説明しているが、出金処理としては、当たり投票券（勝ち馬投票券等）の換金を行なうこともできる。
【００７０】
また、上述した実施形態では、回収処理の実行中に入金処理の実行要求が発生した場合に回収残枚数に応じて回収処理を中断しているが、回収処理の実行中に出金処理の実行要求が発生した場合（前述した当たり投票券の換金要求等）にも回収残枚数に応じて回収処理を中断し、出金処理を優先させるようにすることもできる。
【００７１】
【発明の効果】
以上詳述したように、本発明の現金処理ユニット（請求項１），自動取引装置（請求項２）および同装置における現金回収方法（請求項３）によれば、回収処理の実行中に入金処理の実行要求を受けると、実行中の回収処理を中断して入金処理が優先的に実行されるので、入金処理，出金処理および回収処理の際における現金の識別を共通の現金識別部により行なう構成で回収処理を実行しても、運用（入金処理）を止める必要がなく、効率的な運用を実現でき、顧客に対するサービスを大幅に向上させることができる。
【図面の簡単な説明】
【図１】本発明の一実施形態としての投票券自動発売機（自動取引装置）における回収中断処理を説明するためのフローチャートである。
【図２】本発明の一実施形態としての投票券自動発売機（自動取引装置）における回収処理を説明するためのフローチャートである。
【図３】本実施形態の投票券自動発売機（自動取引装置）の機能的な構成を示すブロック図である。
【図４】本実施形態の投票券自動発売機（自動取引装置）の正面図である。
【図５】図４のＶ矢視図である。
【図６】図５のＶＩ矢視図である。
【図７】本実施形態の投票券自動発売機における紙幣ユニット（現金処理ユニット）の詳細構成を示す模式図である。
【図８】本実施形態の投票券自動発売機における投票カード読取ユニットの詳細構成を模式的に示すブロック図である。
【図９】本実施形態の投票券自動発売機における投票券発行ユニットの詳細構成を模式的に示すブロック図である。
【図１０】本実施形態の投票券自動発売機における投票券発行ユニットの詳細構成を示す側面図である。
【図１１】本実施形態の投票券発行ユニットにおける投票券プリンタの詳細構成を示す正面図である。
【符号の説明】
１  投票券自動発売機（自動取引装置）
２  顧客操作部
３  現金処理ユニット
３Ａ  紙幣ユニット
３Ｂ  硬貨ユニット
３ａ  硬貨挿入口
３ｂ  硬貨取出口
４  投票カード読取ユニット
５  投票券発行ユニット
６  控券プリンタユニット
７  後面操作部
８  制御部
１０  投票券
１０ａ  取り忘れ投票券
１０ｂ  不良投票券（廃券）
２１  顧客操作画面
２２  精算ボタン
３０  紙幣挿入口／取出口（現金挿入口，現金取出口）
３０ａ  入金口部
３０ｂ  出金口部
３１  紙幣識別部（現金識別部）
３２  千円スタッカ部
３２ａ  千円一時保留部
３３  万円スタッカ部
３３ａ  万円一時保留部
３４  千円回収部（千円／万円補充部；現金回収部）
３５  万円回収部（現金回収部）
３６  五千円回収部（現金回収部）
３６ａ  五千円一時保留部
３７  リジェクト回収部
３８  取り忘れ取り込みボックス
３９  制御部
４０ａ〜４０ｋ，４０ｍ，４０ｎ  搬送経路
４１  投票カード挿入口
４１ａ  フリッカランプ
４２  二枚検出部
４３  表側読取部
４４  裏側読取部
４５  整列収納部
４５ａ  一時保留部
４６  投票カード排出口
４６ａ  フリッカランプ
４７  制御部
４７ａ  電源
４７ｂ  信号端子
５０  投票券プリンタ
５１  給紙部
５１ａ  ロール紙
５２  リボンカセット部
５２ａ  インクリボン
５３  サーマルヘッド部
５４  カッタ／モータ部
５５  方向切替部
５６  バーコードリーダ
５７  ストッパ部
５８  パンチ部
５９  方向切替部
６０  投票券取出口（券出口部）
６０ａ  フリッカランプ
６０ｂ  一時保留部
６１  引込み部
６２  取り忘れ投票券把持ローラ
６３  不良投票券スタッカ（廃券スタッカ）
６４  長券／残券スタッカ
【図１】
0003566095.tif 000002
【図２】
0003566095.tif 000003
【図３】
0003566095.tif 000004
【図４】
0003566095.tif 000005
【図５】
0003566095.tif 000006
【図６】
0003566095.tif 000007
【図７】
0003566095.tif 000008
【図８】
0003566095.tif 000009
【図９】
0003566095.tif 000010
【図１０】
0003566095.tif 000011
【図１１】
0003566095.tif 000012